(57)【特許請求の範囲】
【請求項１】
機台(２)に対して、その下方には走行装置(１)を設け、上方には脱穀選別処理部(５)及び穀粒タンク(７)を並設して機体を構成し、前記穀粒タンク(７)から穀粒を機体外に排出する穀粒排出装置(８)を旋回回動させる縦向きオーガ(９)の上部に、横向きオーガ(１１)をこれの先端が基端部より下方に位置するような上下方向の傾斜作動可能な状態に装着してなる穀粒排出装置を備えたコンバインに使用されるものであって、全体が一本の棒体からなり、これの一端部は横向きオーガ(１１)の長さ途中を支持するための受け部(２４)の固定される第一縦向き部(２３ａ)となされ、この第一縦向き部(２３ａ)の下端に連続して第一横向き部(２３ｂ)を、そしてこの第一横向き部(２３ｂ)の後端に連続して第二縦向き部(２３ｃ)を、そしてこの第二縦向き部(２３ｃ)に連続して第二横向き部(２３ｄ)を、そしてこの第二横向き部(２３ｄ)に連続して第三縦向き部(２３ｅ)を形成され、この際、第二横向き部(２３ｄ)は横向きオーガ(１１)側部位と衝接してその下方への傾斜作動を規制し、第三縦向き部(２３ｅ)は横向きオーガ(１１)側部位と衝接してその旋回作動を規制することを特徴とするコンバインにおける穀粒排出装置の横向きオーガ支持規制棒体。
【発明の詳細な説明】
【０００１】
【発明の属する技術分野】
本発明は、コンバインにおける穀粒排出装置の横向きオーガ支持規制棒体に関する。
【０００２】
【従来の技術】
脱穀選別部の横に配設された穀粒タンクの後側近傍に位置して回転作動される縦向きオーガの上部に、横向きオーガを、これの先端高さが比較的低くなるような上下方向の傾斜作動可能な状態に装着してなる穀粒排出装置を備えたコンバインは存在している。
【０００３】
この種のコンバインでは、横向きオーガを縦向きオーガ回りに適当に旋回させた状態で、その先端の穀粒排出口の高さが例えば機体走行面から凡そ１ｍ程度以下となるように、その先端向き上り傾斜角度を小さくなし、この状態の下で、作業者が走行面上に置かれた籾袋内に前記穀粒排出口から排出される籾を落下させるように使用される。
【０００４】
上記横向きオーガはコンバインの機体長さに関連した長尺となされ、しかも広い範囲で移動されるため、機体周辺に存在する他物に衝突することがあり得るのであり、これを防止するものとして、例えば実開昭６３−１１９３３３号公報等に示すような技術がある。
【０００５】
【発明が解決しようとする課題】
上記した実開昭６３−１１９３３３号公報に示す技術は、横向きオーガの下面部と、コンバイン以外の他物との衝突を避ける上では有用であるが、横向きオーガの下面や左右側面が横向きオーガ以外の機体部位と衝突するのを確実に避けるには不向きである。
【０００６】
本発明は上記実情に鑑みて、横向きオーガから機体走行面上の穀粒袋内に穀粒を流入させることができるように横向きオーガの傾斜角度を変化させてその先端高さを低くした場合に、横向きオーガの下面や左右側面が横向きオーガ以外の機体部位に衝突するのを簡易な構造により確実に避けることを可能としたコンバインにおける穀粒排出装置の横向きオーガ支持規制棒体を提供することを目的とする。
【０００７】
【課題を解決するための手段】
上記目的を達成するため、本発明の収穫機では、請求項１に記載したように、機台に対して、その下方には走行装置を設け、上方には脱穀選別処理部及び穀粒タンクを並設して機体を構成し、前記穀粒タンクから穀粒を機外に排出する穀粒排出装置を旋回回動させる縦向きオーガの上部に、横向きオーガをこれの先端が基端部より下方に位置するような上下方向の傾斜作動可能な状態に装着してなる穀粒排出装置を備えたコンバインに使用されるものであって、全体が一本の棒体からなり、これの一端部は横向きオーガの長さ途中を支持するための受け部の固定される第一縦向き部となされ、この第一縦向き部の下端に連続して第一横向き部を、そしてこの第一横向き部の後端に連続して第二縦向き部を、そしてこの第二縦向き部に連続して第二横向き部を、そしてこの第二横向き部に連続して第三縦向き部を形成し、この際、第二横向き部は横向きオーガ側部位と衝接してその下方への傾斜作動を規制し、第三縦向き部は横向きオーガ側部位と衝接してその旋回作動を規制する構成となす。これによれば、従来のコンバインに簡易に装着できて、的確に所期の機能を発揮するものとなる。
【０００８】
【発明の実施の形態】
図１〜図５は本発明の一実施例に係るコンバインに関するもので、図１はコンバインの斜視図、図２は要部の平面図、図３は要部の側面図、図４は要部の後面図、図５は使用状態を示し、Ａは平面図で、Ｂは正面図である。
【０００９】
図１において、１は走行部、２は走行部１に支持された機台、そして、３は機台２の前部に設けた刈取部である。機台２上には操縦部４、脱穀選別処理部５、排わら処理部６、穀粒タンク７及び穀粒排出装置８が設けてある。
【００１０】
上記穀粒排出装置８についてさらに詳しく説明すると、図１、図２及び図３等に示すように、穀粒タンク７の後方近傍に位置された縦向きオーガ９、この縦向きオーガ９の上端から接続筒部１０を介して横向きに延出された横向きオーガ１１、及び、この横向きオーガ１１の支持規制手段１２からなっている。
【００１１】
ここに、縦向きオーガ９は、操縦部４の後部に設けた図示しないエンジンの回転を伝達されることにより、穀粒タンク７下部の図示しない搬送手段が作動して穀粒タンク７内の籾を自身の搬送始端である下部へ供給されるものとなしてある。
【００１２】
この縦向きオーガ９は、縦中心線ｘ廻りへの回転自在に支持された縦パイプ１３を備えると共にこの縦パイプ１３内に縦向きスクリューコンベア１４を設け、この縦向きスクリューコンベア１４で籾を下部から上方へ搬送するようになすほか、機台２と同体部に設けられた図示しない電動モーターにより縦パイプ１３が縦中心線ｘ廻りの一定角度範囲内で回動されるようになしてある。
【００１３】
接続筒部１０は、縦向きオーガ９と横向きオーガ１１とを前記縦中心線ｘと直交した一定横軸Ｙ廻りの揺動可能に接続すると共に、内部には縦向きオーガ９内の縦向きスクリューコンベア１４と連動されて籾を縦向きオーガ９側から横向きオーガ１１側へ搬送するための図示しない受継スクリューコンベアを有し、外部には横向きオーガ１１を一定横軸Ｙ廻りへ起伏させるための電動油圧シリンダ装置１５を備えた構成となしてある。
【００１４】
横向きオーガ１１は、接続筒部１０に固定された横パイプ１６を備えると共にこの横パイプ１６内に前記受継スクリューコンベアに連動される横向きスクリューコンベア１７を設け、この横向きスクリューコンベア１７の回転により籾を接続筒部１０から横パイプ１６の先端部へ向けて搬送し、このように搬送された籾を横パイプ１６先端部の周面下部に形成された穀粒排出口１８から落下させるようになしてある。
【００１５】
支持規制手段１２は、図１に示すように収納状態となされた横向きオーガ１１の長さ途中を支持するためのオーガ支持部１９と、横向きオーガ１１の作動範囲を規制するための規制部２０とからなっている。
【００１６】
この支持規制手段１２は、脱穀選別部５で精選された籾を穀粒タンク７内へ搬送する揚穀コンベア２１の筒フレーム２１ａ上部に結合金具２２を介して支持規制棒体２３を固定すると共に、この支持規制棒体２３の前側の一端に横向きオーガ１１を支持するための逆ハ形受け部材２４を固着した構成となしてある。
【００１７】
上記支持規制棒体２３は、全体が一本の棒体からなっていて、これの前側一端部を横向きオーガ１１の長さ途中を支持するための第一縦向き部２３ａとなされ、この第一縦向き部２３ａの下端に連続して第一横向き部２３ｂを、そしてこの第一横向き部２３ｂの後端に連続して第二縦向き部２３ｃを、そしてこの第二縦向き部２３ｃに連続して第二横向き部２３ｄを、そしてこの第二横向き部２３ｄに連続して第三縦向き部２３ｅを形成されている。
【００１８】
結合金具２２は揚穀コンベア２１に固着された台座２５と、支持規制棒体２３の第一横向き部２３ｂの長さ途中を抱き込んだ状態で台座２５にボルト固定される側面視Ｕ形の締結板２６とからなっている。
【００１９】
この際、結合金具２２、第一縦向き部２３ａ、第一横向き部２３ｂの前部、及び逆ハ形受け部材２４がオーガ支持部１９をなすものであり、また結合金具２２、第一横向き部２３ｂの後部、第二縦向き部２３ｃ、第二横向き部２３ｄ、及び第三縦向き部２３ｅが規制部２０をなすものである。
【００２０】
そして、第二横向き部２３ｄは、横向きオーガ１１先端向き上り傾斜角度が一定大きさ以下となる下向き傾斜作動を一定位置で規制するものとした傾斜作動規制部をなし、また第三縦向き部２３ｅは、横向きオーガ１１先端向き上り傾斜角度が一定大きさ以下の状態で横向きオーガ１１の縦中心線ｘ回りの旋回作動を規制するものとした旋回作動規制部をなしている。
【００２１】
上記した規制部２０は機体各部の作業時や保守点検時の取り扱いに支障を来さないように、概ね、脱穀選別部５と穀粒タンク７との間箇所の上方に配置されている。なお、図中、２７は脱穀選別部５から揚穀コンベア２１へ穀粒を搬送するものとした一番オーガであり、２８は揚穀コンベア２１の搬送した穀粒を穀粒タンク７内に図示しない回転羽根で勢い良く投入するものとした穀粒投入部であり、２９は穀粒タンク７の頂部に設けられた開閉口を示している。
【００２２】
次に上記コンバイン及び穀粒排出装置８の使用例及び各部の作動について説明する。走行装置１による機体の走行移動中、刈取部３が植立穀稈を刈り取り、脱穀選別部５が刈り取られた穀稈を脱穀し、こうして得られた穀粒から精粒のみを選りだし、これを一番オーガ２７及び揚穀コンベア２１が穀粒タンク７内に搬送し貯溜させるように作動する。こうして貯溜された穀粒はトラックの荷台や、図５Ｂに示す機体走行面ｍ上の穀粒袋ｎ等に搬出しなければならないが、このような場合に穀粒排出装置８が使用される。
【００２３】
この排出装置を８使用する際は、電動油圧シリンダ装置１５を作動させ、図１に示すようにオーガ支持部１９に支持された状態の横向きオーガ１１をオーガ支持部１９の逆ハ形受け部材２４から上方へ抜け出るように一定横軸Ｙ回りの上方へ傾斜作動させる。こうして横向きオーガ１１先端向き上り傾斜角度が一定大きさθ１（図５Ｂ参照）以上となされた横向きオーガ１１は規制部２０と干渉することなく、図５Ａに示す旋回角度範囲θ２内で旋回作動を許容されるのであり、この旋回角度範囲θ２内の適当位置でトラックの荷台等に籾を排出する。
【００２４】
横向きオーガ１１が旋回角度範囲θ２の許容限度に達したときは例えばリミットスイッチ等の検出信号と、縦向きオーガ１１を回動させるための電動モータとの連係により従来同様に、横向きオーガ１１のさらなる旋回作動は自動的に停止される。この旋回角度範囲θ２は例えば凡そ２７０度程度に設定されるのであり、このように旋回角度範囲θ２を限定的となしたのは横向きオーガ１１と穀粒タンク７とが衝突するのを回避するためである。
【００２５】
また上記旋回角度範囲θ２内のうち、規制部２０の存在範囲を除いた角度範囲θ３では、横向きオーガ１１は電動油圧シリンダ装置１５により、例えばその穀粒排出口１８の高さが機体走行面ｍから凡そ８０ｃｍ〜１３０ｃｍの範囲内の距離となる許容最低位置までは一定横軸Ｙ回りの下方へ傾斜作動される。
従って、この角度範囲θ３では作業者は機体走行面ｍ上に置いた一般の穀粒袋ｎの開口に横向きオーガ１１の穀粒排出口１８を近接させることができ、穀粒排出口１８から流出される穀粒は確実に穀粒袋ｎ内に落下されるものとなる。
【００２６】
次に横向きオーガ１１を許容最低位置に保持したまま矢印方向ｆ１へ旋回作動させると、横向きオーガ１１が特定位置ｐ１に達したとき、その長さ途中が規制部２０の旋回作動規制部２５ｅに衝接し、横向きオーガ１１は縦向きオーガ９を回動させるための電動モータの駆動力に抗してそれ以上の同一方向への旋回を阻止される。これにより、横向きオーガ１１の側面が誤って機体の刈取部３周辺に衝突したり、横向きオーガ１１と機体との間に機体走行面ｍ上の作業者が挟まれるような事態が回避される。
【００２７】
また旋回角度範囲θ２内のうち、規制部２０が存在する角度範囲θ４（図５Ａ参照）では、横向きオーガ１１は規制部２０に干渉しない先端向き上り傾斜角度θ１以上となされた状態での旋回作動が許容されるが、この角度範囲θ４内においてその先端向き上り傾斜角度を減少させると、横向きオーガ１１の先端部が規制部２０の高さに関連した特定高さに達したとき、その長さ途中が規制部２０の傾斜作動規制部２３ｄに衝接し、横向きオーガ１１はそれ以上の同一方向への傾斜作動を電動油圧シリンダ装置の駆動力に抗して阻止されるのであり、従って横向きオーガ１１の下面が誤って機体の刈取部３周辺に衝突したり横向きオーガ１１と機体との間に機台２上の運転者等が挟まれる事態は回避される。
【００２８】
上記実施例では、規制部２０に横向きオーガ１１が衝接したとき、規制部２０は縦向きオーガ１１を回動させる電動モータや電動油圧シリンダ装置１５等のオーガ駆動装置の駆動力に抗して横向きオーガ１１の旋回や傾斜作動を阻止するものとなしたが、これに限定するものではなく、例えば横向きオーガ１１の一部で規制部２０と接触する特定箇所に規制部２０との接触を検出するものとしたセンサを設け、このセンサの検出信号により前記オーガ駆動装置の駆動力を消失させ、この消失により横向きオーガ１１の旋回や傾斜作動を阻止するものとなしてもよい。
【００２９】
【発明の効果】
以上のように構成した本発明によれば、構造簡易軽量で在来のコンバインに簡易に装着でき、的確に所期の機能を発揮するものとなる。そして、横向きオーガから機体走行面上の穀粒袋内に穀粒を流入させることができるように横向きオーガの先端部高さを低くした場合に、横向きオーガの下面や左右側面が横向きオーガ以外の機体部位に衝突したり、横向きオーガと機体との間に機体走行面上の作業者や機体上の運転者が誤って挟まれるのを簡易な構造により完全に回避でき、また、横向きオーガの先端部を予定の特定高さ（例えば凡そ８０ｃｍ〜１３０ｃｍ範囲内の距離）まで降下させても横向きオーガと機体との衝突が生じない範囲では、支持規制棒体が横向きオーガと何ら干渉せず横向きオーガの自由な旋回及び傾斜作動を許容するものとなる。
【図面の簡単な説明】
【図１】本発明の一実施例に係るコンバインの斜視図である。
【図２】上記コンバインの要部を示す平面図である。
【図３】上記要部の側面図である。
【図４】上記要部の後面図である。
【図５】上記コンバインの使用状態を示し、Ａは平面図で、Ｂは正面図である。
【符号の説明】
５  脱穀選別部
７  穀粒タンク
８  穀粒排出装置
９  縦向きオーガ
１１  横向きオーガ
１９  支持部
２０  規制部
２１  揚穀コンベア
２１ａ  筒フレーム
２３ａ  第一縦向き部
２３ｂ  第一横向き部
２３ｃ  第二縦向き部
２３ｄ  傾斜作動規制部（第二横向き部）
２３ｅ  旋回作動規制部（第三縦向き部）
２４  逆ハ形受け部
【図１】
0004391647.tif 000002
【図２】
0004391647.tif 000003
【図３】
0004391647.tif 000004
【図４】
0004391647.tif 000005
【図５】
0004391647.tif 000006